(57)【特許請求の範囲】
【請求項１】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換装置において、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能な連続景品交換選択手段を備える、
景品交換装置。
【請求項２】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換装置において、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能な連続景品交換選択手段を備え、
前記連続景品交換選択手段により前記１の口座の景品交換中に前記１の口座とは異なる口座の交換を予約した場合、前記１の口座の景品交換終了時に前記１の口座とは異なる口座での景品交換を連続して実施する、
景品交換装置。
【請求項３】
前記記録媒体は、認証するための認証情報を関連付けられており、
前記景品交換装置は、景品交換を実施する際、前記認証情報に基づいて認証するための
認証手段を備え、
前記連続景品交換選択手段による連続して景品交換を実施する選択が行われた場合、前
記認証手段による認証を行うことなく前記１の口座とは異なる口座の景品交換を実施する請求項１乃至２いずれか記載の
景品交換装置。
【請求項４】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換装置において、
複数の口座を選択できる口座選択手段を設け、
前記口座選択手段により選択された口座のうち１の口座に対応付けられた前記遊技媒体価値の景品交換を実施した後、前記１の口座とは異なる前記口座選択手段により選択された１の口座の前記遊技媒体価値を、連続して景品交換を実施する景品交換装置。
【請求項５】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換方法において、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択する、
景品交換方法。
【請求項６】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換方法において、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能であり、
前記１の口座の景品交換中に前記１の口座とは異なる口座の交換を予約した場合、前記１の口座の景品交換終了時に前記１の口座とは異なる口座での景品交換を連続して実施する、
景品交換方法。
【請求項７】
前記記録媒体は、認証するための認証情報を関連付けられており、
前記景品交換装置は、景品交換を実施する際、前記認証情報に基づいて認証するための
認証手段を備え、
連続して景品交換を実施する選択が行われた場合、前記認証手段による認証を行うことなく前記１の口座とは異なる口座の景品交換を実施する、請求項５乃至６いずれか記載の景品交換方法。
【請求項８】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換方法において、
複数の口座を選択できる口座選択手段により選択された口座のうち１の口座に対応付けられた前記遊技媒体価値の景品交換を実施した後、前記１の口座とは異なる前記口座選択手段により選択された１の口座の前記遊技媒体価値を、連続して景品交換を実施する、
景品交換方法。
【請求項９】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換システムにおいて、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能な連続景品交換選択手段を備える、
景品交換システム。
【請求項１０】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換システムにおいて、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能な連続景品交換選択手段を備え、
前記連続景品交換選択手段により前記１の口座の景品交換中に前記１の口座とは異なる口座の交換を予約した場合、前記１の口座の景品交換終了時に前記１の口座とは異なる口座での景品交換を連続して実施する、
景品交換システム。
【請求項１１】
前記記録媒体は、認証するための認証情報を関連付けられており、
景品交換装置は、景品交換を実施する際、前記認証情報に基づいて認証するための認証
手段を備え、
前記連続景品交換選択手段による連続して景品交換を実施する選択が行われた場合、前
記認証手段による認証を行うことなく前記１の口座とは異なる口座の景品交換を実施する、請求項９乃至１０いずれか記載の景品交換システム。
【請求項１２】
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換システムにおいて、
複数の口座を選択できる口座選択手段を設け、前記口座選択手段により選択された口座のうち１の口座に対応付けられた前記遊技媒体価値の景品交換を実施した後、前記１の口座とは異なる前記口座選択手段により選択された１の口座の前記遊技媒体価値を、連続して景品交換を実施する、
景品交換システム。
【発明の詳細な説明】
【技術分野】
【０００１】
本発明は、複数の口座の各々に遊技客によって獲得された遊技媒体の数量が関連付けられた記録媒体に基づいて、遊技媒体と所望の景品との交換制御を行う景品交換装置及び景品交換方法及び景品交換システムに関する。
更に詳細には、複数の口座の各々に遊技客によって獲得された遊技媒体の数量が関連付けられた記録媒体に基づいて、遊技媒体と所望の景品との交換制御にあたり、複数口座を連続交換する景品交換装置及び景品交換方法及び景品交換システムに関わる。
【背景技術】
【０００２】
従来、パチンコ遊技やパチスロ遊技等を提供する遊技店では、景品カウンタにおいて、記録媒体より遊技客が遊技で獲得した獲得遊技媒体を取得し、獲得遊技媒体と引き換えに所望の景品を提供する景品交換を行っている。記録媒体には景品管理装置あるいはシステムセンタ等に設けられた複数の口座情報と紐付けることが可能である。
記録媒体に口座情報と紐付け、口座に暗証番号を設ける「パチンコ景品交換システム」が知られている（特許文献１  請求項１）。同「パチンコ景品交換システム」は、「システムセンタの口座に暗証番号を設け、操作端末装置又は景品交換端末装置からの入力された暗証番号と該口座番号を照合することを特徴とする・・・パチンコ景品交換システム。」である（特許文献１  請求項１）。
更に、特許文献１記載「パチンコ景品交換システム」は、「口座の照会を選択し（ステップＳ２０）、メンバーズカード読取機２５にメンバーズカード５を挿入すると（ステップＳ２１）、メンバーズカード５のチェックが行われた後（ステップＳ２２、Ｓ２３）、暗証番号の入力待ちとなる（ステップＳ２４）、暗証番号が入力されるとシステムセンタ３へ照会し（ステップＳ２５）、確認されれば表示部１５またはプリンタ１７により口座情報を表示する（ステップＳ２６、Ｓ２７）。」からなる（特許文献１  4頁上段右欄１９行乃至同頁下段７行）。
【先行技術文献】
【特許文献】
【０００３】
【特許文献１】特開平３−６８３８３号公報
【発明の概要】
【発明が解決しようとする課題】
【０００４】
しかしながら、複数の口座に獲得遊技媒体が関連付けられた記録媒体にて複数の口座の景品交換を行う場合、１つの口座の獲得遊技媒体毎に景品交換を繰りかえし行うため、景品交換毎に記録媒体の暗証番号等の認証を行う必要があり、遊技客の手間となり、時間が掛かっている問題があった。
更に、近年、玉あるいはメダルを貸す際のレート（貸出レート）が多様になり、それにしたがって、貸出レート毎に区別して口座を設け、遊技による獲得遊技媒体数を記録媒体に記録し、且つ、貸出レート毎に獲得遊技媒体数を景品に交換する処理が行われている。
しかしながら、特許文献１に記載されるような従来の景品交換方法では、１の貸出レートの景品交換が完了する度にカードが返却されるため、前記１の貸出レートとは異なる貸出レートの獲得遊技媒体を、引き続き景品に交換する際は、再度、カードを挿入し、暗証番号等の認証を行う必要があった。
【０００５】
本発明の目的は、これら問題点を解決することを目的とするものであって、本発明では、このような課題を解決するために、複数の口座の景品交換を連続して行う際に、記録媒体の認証を１度のみとし、次の口座については認証を行わずに景品交換を行えるようにすることを目的とする。
【課題を解決するための手段】
【０００６】
上記目的を達成する為に、
本発明に係る景品交換装置は、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換装置において、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能な連続景品交換選択手段を備える。
【０００７】
更に、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換装置において、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能な連続景品交換選択手段を備え、
前記連続景品交換選択手段により前記１の口座の景品交換中に前記１の口座とは異なる口座の交換を予約した場合、前記１の口座の景品交換終了時に前記１の口座とは異なる口座での景品交換を連続して実施する。
【０００８】
更に加えて、
前記記録媒体は、認証するための認証情報を関連付けられており、
前記景品交換装置は、景品交換を実施する際、前記認証情報に基づいて認証するための
認証手段を備え、
前記連続景品交換選択手段による連続して景品交換を実施する選択が行われた場合、前
記認証手段による認証を行うことなく前記１の口座とは異なる口座の景品交換を実施する。
【０００９】
更に、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換装置において、
複数の口座を選択できる口座選択手段を設け、
前記口座選択手段により選択された口座のうち１の口座に対応付けられた前記遊技媒体価値の景品交換を実施した後、前記１の口座とは異なる前記口座選択手段により選択された１の口座の前記遊技媒体価値を、連続して景品交換を実施する。
【００１０】
更に、
本発明に係る景品管理方法は、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換方法において、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択する。
【００１１】
更に、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換方法において、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能であり、
前記１の口座の景品交換中に前記１の口座とは異なる口座の交換を予約した場合、前記１の口座の景品交換終了時に前記１の口座とは異なる口座での景品交換を連続して実施する。
【００１２】
更に加えて、
前記記録媒体は、認証するための認証情報を関連付けられており、
前記景品交換装置は、景品交換を実施する際、前記認証情報に基づいて認証するための
認証手段を備え、
連続して景品交換を実施する選択が行われた場合、前記認証手段による認証を行うことなく前記１の口座とは異なる口座の景品交換を実施する。
【００１３】
更に、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換方法において、
複数の口座を選択できる口座選択手段により選択された口座のうち１の口座に対応付けられた前記遊技媒体価値の景品交換を実施した後、前記１の口座とは異なる前記口座選択手段により選択された１の口座の前記遊技媒体価値を、連続して景品交換を実施する。
【００１４】
更に、
本発明に係る景品交換システムは、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換システムにおいて、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能な連続景品交換選択手段を備える。
【００１５】
更に、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換システムにおいて、
前記複数の口座の各々に対応付けられた前記遊技媒体価値のうち１の口座に対応付けられた前記遊技媒体価値の景品交換を実施した後、前記１の口座とは異なる前記複数の口座のうち１の口座の前記遊技媒体価値を、連続して景品交換を実施するか選択可能な連続景品交換選択手段を備え、
前記連続景品交換選択手段により前記１の口座の景品交換中に前記１の口座とは異なる口座の交換を予約した場合、前記１の口座の景品交換終了時に前記１の口座とは異なる口座での景品交換を連続して実施する。
【００１６】
更に加えて、
前記記録媒体は、認証するための認証情報を関連付けられており、
景品交換装置は、景品交換を実施する際、前記認証情報に基づいて認証するための認証手段を備え、
前記連続景品交換選択手段による連続して景品交換を実施する選択が行われた場合、前記認証手段による認証を行うことなく前記１の口座とは異なる口座の景品交換を実施する。
【００１７】
更に、
遊技媒体のレートに対応し設けられた複数の口座、及び前記複数の口座の各々に対応付けられた遊技客によって獲得された遊技媒体価値が関連付けられた記録媒体に基づいて、前記遊技媒体価値と所望の景品との交換制御を行う景品交換システムにおいて、
複数の口座を選択できる口座選択手段を設け、前記口座選択手段により選択された口座のうち１の口座に対応付けられた前記遊技媒体価値の景品交換を実施した後、前記１の口座とは異なる前記口座選択手段により選択された１の口座の前記遊技媒体価値を、連続して景品交換を実施する。
【発明の効果】
【００１８】
本発明によれば、記録媒体に紐付いた複数の口座の獲得遊技媒体を少ない手順で景品交換を行うことが可能となる為、景品交換を短い時間で行うことができる。
複数の口座の景品交換を行う際に都度記録媒体の認証を行わずに次の口座の景品交換を実施でき、遊技客の手間を減らすことが可能となる。また、記録媒体の認証が不要となるため、複数の口座での景品交換時間の短縮が可能となる。
複数の口座の景品交換を行う際に遊技客が選択して景品交換を行う口座を選択でき、遊技客および従業員の手間を減らすことが可能となる。
【図面の簡単な説明】
【００１９】
【図１】この発明の実施の形態に係る第１実施例乃至第９実施例のシステム概略図である。
【図２】この発明の実施の形態に係る第１実施例のフロー図である。
【図３】この発明の実施の形態に係る第２実施例のフロー図である。
【図４】この発明の実施の形態に係る第３実施例のフロー図である。
【図５】この発明の実施の形態に係る第４実施例のフロー図である。
【図６】この発明の実施の形態に係る第５実施例のフロー図である。
【図７】この発明の実施の形態に係る第６実施例のフロー図である。
【図８】この発明の実施の形態に係る第７実施例のフロー図である。
【図９】この発明の実施の形態に係る第８実施例のフロー図である。
【図１０】この発明の実施の形態に係る第９の実施例のフロー図である。
【発明を実施するための形態】
【００２０】
以下第１実施例から第９実施例について説明する。第１実施例乃至第８実施例では、複数口座を選択して景品交換を実施する。第９実施例では、景品払出機１８より複数口座の景品を纏めて払出しを行う。
（第１実施例）
図１にシステム概略図、図２にフロー図を図示される第１実施例について説明する。
図１は、遊技ホールにおける景品交換システムを備える遊技ホール管理システム１の構成を示した図である。
図１に示すように、遊技ホールにおける遊技ホール管理システム１（景品交換システム）では、複数のパチンコ機２及び複数のパチンコ機２のそれぞれに接続された台間機３、４、複数のスロットマシン５及びスロットマシン５間に接続された台間機６が島コンピュータ７を介してネットワーク８に接続されており、パチンコ機２には、それぞれ個別計数機（パーソナルカウンタ）２Ｃが設けられている。個別計数機（パーソナルカウンタ）２Ｃの構成作用は、特開２０１３−４８６６１「景品交換システム、景品交換方法」に記載されるものと同様である。
【００２１】
ネットワーク８には、計数機９、精算機１０、景品交換ＰＯＳ（景品交換装置）１１、再プレー受付機１２、発行機２０、データ表示機２１、データ公開機の機能を備える店外景品交換用端末２２、無線通信システム２３等も接続されている。
このネットワーク８は、例えば、ＬＡＮ等のネットワークである。ここで、無線通信システム２３は、例えば、ヘッドホン、マイク等を備えたインカムシステム等で構成され、遊技ホールの従業員がこの無線通信システム２３を装着して業務を行う。従業員は、この無線通信システム２３を介して、例えば、パチンコ機２の正面の扉を開けるとき等に、その旨を報知し、違法に開けられたものでないことを管理部に知らせること等を行う。このように、無線通信システム２３を介して、業務に基づく種々の情報の報知や情報の入手を行う。また、この店外景品交換用端末２２は、遊技ホール外の店舗において景品を得るための景品交換処理を行なうものである。
【００２２】
これらの各機器からの情報、特に発行した記録媒体である会員カード、非会員カードの有価価値（入金に対する度数、計数に対する持数、当日貯玉、前日貯玉）は、ネットワーク８を介して景品管理装置１３に出力され、さらに、プロトコルコンバータ１４、モデム１５を介して情報管理センタ１６に送信される。
景品管理装置１３即ち遊技ホール管理装置は、例えば、パーソナルコンピュータ（ＰＣ）１７等とも接続されている。もしくは、例えば景品管理装置１３は、パーソナルコンピュータ（ＰＣ）１７にその機能を持たせてもよい。
【００２３】
景品管理装置１３には、景品管理装置１３で管理されている情報等に基づいて財務処理を行う財務管理装置５０が通信可能に接続されている。なお、財務管理装置５０の機能を景品管理装置１３に備えてもよい。
入金に対する度数とは、例えば１万円で１００度数の有価価値であり、１玉４円の貸玉の場合、１回の玉貸しボタンを押すと５００円分１２５玉が貸し出され、その際５００円分５度数が減算される。
貸玉についてはパチンコ玉では、例えば１玉２円、１玉１円の場合があり、メダルについては1枚２０円、１枚５円の場合等、１店舗において複数の貸出レートがある。そのため、複数の貸出レート、及び複数の貸出レートに対応づけられる複数の交換レート（景品交換における１遊技媒体あたりの有価価値量）に従い、それぞれ別の口座を設ける必要がある。交換レートとは、例えば１玉４円で貸し出した場合、獲得玉１玉あたり４円相当の景品と交換可能とし、１玉１円で貸し出した場合、獲得玉１玉あたり１円相当の景品と交換可能とするように貸出レート毎に異なっている。
【００２４】
そのため、景品管理装置１３には複数の口座が設けられる。口座にはそれぞれ暗証番号等の認証情報が設けられる。暗証番号は、口座毎に代えても良いが遊技者にとっては複雑となるのでこの実施例では、１の記録媒体に紐づけられる口座は全て同一の暗証番号を付す。記録媒体は複数の口座情報と紐付けられ、関連付けられる。
景品管理装置１３は、口座に設けられた暗証番号と、操作端末装置又は景品交換ＰＯＳ１１からの入力された暗証番号と該口座番号を照合する。景品管理装置１３は、複数の口座及び遊技客によって獲得された遊技媒体の数量が関連付けられた記録媒体に基づいて、暗証番号の照合判断を含め遊技媒体と所望の景品との交換制御を行う。
【００２５】
景品管理装置１３からの情報は、ネットワーク８を介して各機器に出力される。景品管理装置１３は、ホールコンピュータ等１つ又は複数の管理装置で構成することができる。
景品管理装置１３には、遊技ホールでの情報配信に関する処理を行う配信制御装置９０が接続されている。
配信制御装置９０は、情報管理センタ１６にある配信サーバ（図示せず）と所定の情報通信を行い、ネットワーク８に接続されている各機器を情報配信先の端末（後述の配信端末）として情報配信を行う。
【００２６】
配信制御装置９０の機能を景品管理装置１３に備えてもよい。したがって、図１の構成では、配信制御装置９０が景品管理装置１３を介して情報管理センタ１６の配信サーバやネットワーク８上の端末と通信を行うようにしてもよいが、直接各種サーバから配信先である配信端末、即ちネットワーク８に接続されたパチンコ機２、台間機３、４及び６、スロットマシン５、計数機９、精算機１０、景品交換ＰＯＳ１１、再プレー受付機１２、景品管理装置１３、発行機２０、データ表示機２１並びに店外景品交換用端末２２等が情報配信先の端末（配信端末）となる。配信制御装置へは、景品交換すべき景品の名称、内容、写真が、外部端末より各種サーバを介して登録される。景品払出機１８は、景品交換ＰＯＳ１１に接続される。
【００２７】
配信制御装置９０は、景品管理装置１３を複数の管理装置で構成する場合の上記カードシステム用管理装置、ホールコンピュータ、景品管理用管理装置、会員管理用管理装置、財務処理装置等の少なくとも１つをもって構成してもよい。他に専用のコンピュータを設けて構成してもよい。
カードシステム用管理装置等の複数のコンピュータにて配信制御装置９０を構成する場合には、それらの複数のコンピュータによる処理の分散実行を行う。情報管理センタ１６の配信サーバ、配信制御装置９０及び情報配信先の各端末（各配信端末）は、それぞれ、ＣＰＵを搭載し、メモリとしてＲＡＭ、ＲＯＭ及びハードディスク等の記憶手段を搭載しており、ＲＯＭないしハードディスク等に記憶されたプログラムに基づき、入力された各種データ及びプログラムをＣＰＵが処理し、その結果をＲＡＭないしＣＰＵ搭載のスタックやＲＡＭに格納し、それらの格納した結果を必要に応じて読み出して、さらに処理する。
【００２８】
図１に示すように、本発明に係る景品交換システムを備える遊技ホール管理システム１では、景品管理装置１３を備える。
記録媒体である会員用ＩＣカードは、ＩＤだけの記録情報を有し、その他の情報は景品管理装置１３即ち管理装置において管理されるシステム、又は、ＩＤ以外に度数等の有価情報等の情報を有し、さらに、その情報は景品管理装置１３においても管理されるシステムを採用することができる。ＩＣカードの代わりに、磁気カード、レシート、ＩＣコインが記録媒体として使用可能である。
【００２９】
会員用ＩＣカードを用いた場合の情報としては、ＩＤ、度数、貸玉数、暗証番号、持玉、当日貯玉、前日貯玉等が含まれる。非会員カードも同様としてもよいし、ＩＤ、度数、貸玉数、持玉のみとし、暗証番号、当日貯玉、前日貯玉は会員のみの情報としてもよい。暗証番号は、記録媒体毎に付される。記録媒体からみると、特定の暗証番号に、複数の口座が紐づけられ、関連付けられる。そのため、口座毎に特定の暗証番号を入力して景品交換をする。
景品交換ＰＯＳ１１（景品交換装置）は、遊技客が獲得した獲得遊技媒体を所望の景品と交換する処理を行う。景品交換ＰＯＳ１１は、従業員側に配置される表示部、操作部と、遊技客側に配置される表示部、操作部を備えている。もしくは、例えばタッチパネル等を採用することで表示部と操作部を兼ねて構成してもよい。
従業員側表示部及び遊技客側表示部は、例えば、景品交換に伴い、獲得遊技媒体数や景品の種類、景品交換に必要な遊技媒体数など景品交換に係る情報を表示する。なお、表示内容は、従業員側と遊技客側で同一の情報を表示してもよいし、一方で表示する情報の一部のみ他方の表示部で表示してもよい。また、操作部は、景品交換に伴う操作を行うことが可能である。例えば、所望する景品の選択操作、暗証番号の入力操作等である。景品交換ＰＯＳ１１に備える表示部及び操作部により、後述する口座選択画面、もしくは、連続交換許可に関わる表示等を行い、操作部より従業員もしくは遊技客が操作を行うことで連続景品交換選択が可能となる。すなわち、景品交換ＰＯＳ１１の一部は、連続景品交換選択手段となる。
景品交換ＰＯＳ１１は、更に記録媒体に記録された記録情報を読み取る、例えばＩＣカードリーダーからなる記録媒体読取部を備える。記録媒体読取部は、接触もしくは近接された記録媒体の記録情報を読み取る。
【００３０】
３、４、６は台間機である。台間機３（ユニット）及び台間機４（サンド）はパチンコ用であり、台間機６（台間メダル貸し機）はスロットマシン用である。
台間機３（ユニット）は、パチンコ機２と情報通信ができるので、パチンコ機２の貸玉ボタンが押されると、パチンコ機２内部からパチンコ機２の上皿へ直接パチンコ玉を供給することができる。一方、台間機４（サンド）は、パチンコ機２と情報通信ができないので、パチンコ玉は、台間機４（サンド）のノズルよりパチンコ機２の上皿へ供給される。
台間機６（台間メダル貸し機）は、台間機４（サンド）と同様に遊技機と情報通信ができないので、メダルは、台間機６（台間メダル貸し機）のメダル払出口に供給される。
【００３１】
第１実施例では、従業員が遊技客の指示に従い交換する口座を前もって選択して交換を行う。
図２に図示されるように、景品交換ＰＯＳ１１で記録媒体を読み取った後（ステップＳ１）、遊技客にて記録媒体の暗証番号の入力を行い、該入力された暗証番号に基づく認証を行う（ステップＳ２）。記録媒体に対する認証は、読取後１回のみである。
景品交換ＰＯＳ１１で読み取った記録媒体に紐づく複数の口座に有価価値の残高があった場合、複数口座のうち景品交換に使用する口座を選択する『交換口座選択画面』を従業員側に表示する。
【００３２】
従業員は、『交換口座選択画面』から遊技客より口頭で指示された交換口座を予め全て選択する（ステップＳ３）。景品交換ＰＯＳ１１は、選択された１乃至複数の口座より１口座選択し（ステップＳ４）、景品交換画面を表示して遊技客の所望する景品を交換する（ステップＳ５）。連続して、複数の口座の景品交換を行う場合、記録媒体の認証を省略して前記選択した交換口座のうち次の一口座の景品交換を可能とする（ステップＳ４）。景品交換終了すると景品交換明細が印字される（ステップＳ５）。
【００３３】
１口座の交換終了後、景品交換ＰＯＳ１１は選択された口座にて景品交換が未実施の口座があった場合、次に景品交換する口座を選択し（ステップＳ６）、景品交換画面を表示して景品交換を行う。景品交換ＰＯＳ１１は、記録媒体の全ての口座の残高が無くなる、または従業員による景品交換終了の操作が行われた場合、記録媒体の返却を行い（ステップＳ７）、次の記録媒体の読み取り待ちとなる。
読み取り待ち状態に移行した場合は、再度記録媒体の読み取り及び認証が必要となる。
第１実施例では、あらかじめ交換する１乃至複数の口座の母集団を作ることになる。
遊技客が景品取引中に別の口座の交換を予約する際とは、複数の口座で連続して交換することを予約することである。
記録媒体が返却されると（ステップＳ７）、景品交換は終了する。
なお、前記のように記録媒体等にはＩＤだけの記録情報を有し、その他の情報は景品管理装置１３即ち管理装置において管理されるシステムの場合、前記入力された暗証番号に基づく認証を行った際に（ステップＳ２）、景品管理装置１３より景品交換ＰＯＳ１１へ複数の口座に残る有価価値の残高が送信され、景品交換ＰＯＳ１１は該送信された有価価値残高に基づいて景品交換を行う。また、入力された暗証番号に基づく認証は、景品交換ＰＯＳ１１でおこなってもいいし、入力された暗証番号を景品交換ＰＯＳ１１から景品管理装置１３へ送信し、景品管理装置１３において行ってもよい。
なお、当該景品交換ＰＯＳ１１と景品管理装置１３における送受信は以下の実施例においても同様である。
【００３４】
（第２実施例）
図１にシステム概略図、図３にフロー図を図示される第２実施例について説明する。
第２実施例では、従業員が１口座の交換終了毎に次に交換を行う口座を選択する。
景品交換ＰＯＳ１１で記録媒体を読み取った後（ステップＳ１）、遊技客にて記録媒体の暗証番号の入力を行い、該入力された暗証番号に基づく認証を行う（ステップＳ２）。記録媒体に対する認証は、読取後１回のみである。景品交換ＰＯＳ１１で読み取った記録媒体に紐づく複数の口座に有価価値の残高があった場合、『交換口座選択画面』を従業員側に表示する。
【００３５】
従業員は、『交換口座選択画面』から遊技客より口頭で指示された交換口座を１つ選択する（ステップＳ３）。景品交換ＰＯＳ１１は、選択された口座より景品交換を実施する（ステップＳ４、Ｓ５）。
連続して、複数の口座の景品交換を行う場合、記録媒体の認証を省略して景品交換を可能とする（ステップＳ４）。同一の口座に残額がまだある場合は、『交換口座選択画面』にその旨が表示され、同一口座から続けて景品交換する場合は同一口座から景品交換を実施する（ステップＳ６、Ｓ７、Ｓ８）。
【００３６】
記録媒体に、交換済み口座以外のいずれかの口座に残高があった場合、交換終了後に『交換口座選択画面』を表示する（ステップＳ６、Ｓ７）。
従業員は、遊技客より口頭で景品交換を継続する指示があった場合、交換する口座を選択する（ステップＳ８）。景品交換する口座が選択された場合、景品交換ＰＯＳ１１は、記録媒体の認証を行わずに認証をスキップして、景品交換を行う。
【００３７】
景品交換ＰＯＳ１１において口座毎に交換した場合、その度毎に景品交換ＰＯＳ１１から接続された景品払出機１８へ交換結果に基づく景品払出信号を送信し、該景品払出信号を受信した景品払出機１８は景品を払出しする。しかし、複数の口座の景品交換を連続して行う場合は、景品交換ＰＯＳ１１からの景品払出信号を景品払出機１８で都度受信して保留し、記録媒体返却時（ステップＳ９）に、景品払出機１８で複数口座の景品交換数を合算して景品を払出してもよい。また、景品交換ＰＯＳ１１において、複数の口座のそれぞれの景品交換結果を累積記憶し、記録媒体返却時（ステップＳ９）に累積記憶した交換結果を合算した合算交換結果に基づいて景品払出機１８へ景品払出信号を送信してもよい。
景品交換ＰＯＳ１１は、記録媒体の全ての口座の残高が無くなる、または従業員による景品交換終了の操作が行われた場合、記録媒体の返却を行い（ステップＳ９）、次の記録媒体の読み取り待ちとなる。読み取り待ち状態に移行した場合は、再度記録媒体の読み取り及び認証が必要となる。
記録媒体が返却されると（ステップＳ９）、景品交換は終了する。
【００３８】
（第３実施例）
図１にシステム概略図、図４にフロー図を図示される第３実施例について説明する。
第３実施例では、従業員が景品交換中に、継続して景品交換を行うか選択する。
景品交換ＰＯＳ１１で記録媒体を読み取った後（ステップＳ１）、遊技客にて記録媒体の暗証番号の入力を行い、該入力された暗証番号に基づく認証を行う（ステップＳ２）。記録媒体に対する認証は、読取後１回のみである。景品交換ＰＯＳ１１で読み取った記録媒体に紐づく複数の口座に有価価値の残高があった場合、連続交換許可入力手段、及び『交換口座選択画面』を従業員側に表示する。
【００３９】
従業員は、『交換口座選択画面』から遊技客より口頭で指示された交換口座を１つ選択する（ステップＳ３）。景品交換ＰＯＳ１１は、選択された口座より景品交換を実施する（ステップＳ４、Ｓ５）。
従業員は、前記ステップ１からステップ８に至るいずれかの時点で遊技客より景品交換を継続する指示があった場合、前記連続交換許可入力手段より連続交換許可操作を行い、現在の口座の景品交換終了時に次に交換する口座を選択する（ステップＳ６、Ｓ７、Ｓ８）。景品交換する口座が選択された場合、景品交換ＰＯＳ１１は、記録媒体の認証を行わずに景品交換を行う（ステップＳ８）。
【００４０】
連続交換許可操作が実施された場合のみ、『交換口座選択画面』に移動する（ステップＳ７）。
景品交換ＰＯＳ１１は、記録媒体の全ての口座の残高が無くなる、または従業員による景品交換終了の操作が行われ、且つ連続交換許可操作が行われていない場合、記録媒体の返却を行い（ステップＳ９）、次の記録媒体の読み取り待ちとなる。読み取り待ち状態に移行した場合は、再度記録媒体の読み取り及び認証が必要となる。
記録媒体が返却されると（ステップＳ９）、景品交換は終了する。
【００４１】
（第４実施例）
図１にシステム概略図、図５にフロー図を図示される第４実施例について説明する。
第４実施例では、遊技客が交換する口座を前もって選択して交換を行う。
景品交換ＰＯＳ１１で記録媒体を読み取った後（ステップＳ１）、遊技客にて記録媒体の暗証番号の入力を行い、該入力された暗証番号に基づく認証を行う（ステップＳ２）。記録媒体に対する認証は、読取後１回のみである。景品交換ＰＯＳ１１で読み取った記録媒体に紐づく複数の口座に有価価値の残高があった場合、『交換口座選択画面』を遊技客側に表示する。
【００４２】
遊技客は、『交換口座選択画面』から交換する口座を予め全て選択する（ステップＳ３）。景品交換ＰＯＳ１１は、選択された複数の口座のうち、所定の口座より景品交換を実施する。選択された複数の口座のいずれの口座から景品交換を行うかは、例えば交換レートが高い口座より順番に実行してもよいし、交換レートが低い口座から実行してもよい。もしくは、従業員により任意に設定ができてもよいし、遊技客が口座を選択した順番で景品交換を実行する方法もある。
交換終了後、景品交換ＰＯＳ１１は選択された口座にて景品交換が未実施の口座があった場合、再度景品交換画面を表示して景品交換を行う（ステップＳ４、Ｓ５、Ｓ６）。
連続して、複数の口座の景品交換を行う場合、記録媒体の認証を省略して景品交換を可能とする（ステップＳ４）。
全ての選択した口座の景品交換が終了または、途中で終了した場合、記録媒体の返却を行い（ステップＳ７）次の記録媒体の読み取り待ちとなる。読み取り待ち状態に移行した場合は、遊技客による再度の記録媒体の読み取り及び認証が必要となる。
記録媒体が返却されると（ステップＳ７）、景品交換は終了する。
【００４３】
（第５実施例）
図１にシステム概略図、図６にフロー図を図示される第５実施例について説明する。
第５実施例では、遊技客が１口座の交換終了毎に次に交換を行う口座を選択する。
景品交換ＰＯＳ１１で記録媒体を読み取った後（ステップＳ１）、遊技客にて記録媒体の暗証番号の入力を行い、該入力された暗証番号に基づく認証を行う（ステップＳ２）。記録媒体に対する認証は、読取後１回のみである。景品交換ＰＯＳ１１で読み取った記録媒体に紐づく複数の口座に有価価値の残高があった場合、『交換口座選択画面』を遊技客側に表示する。
【００４４】
遊技客は、『交換口座選択画面』から交換する口座を１つ選択する（ステップＳ３）。景品交換ＰＯＳ１１は、選択された口座より景品交換を実施する（ステップＳ４）。連続して、複数の口座の景品交換を行う場合、記録媒体の認証を省略して景品交換を可能とする（ステップＳ４）。
交換終了後（ステップＳ５）、記録媒体に紐づくいずれかの口座に残高があった場合（ステップＳ６）、再度『交換口座選択画面』を遊技客側に表示する（ステップＳ７）。遊技客は、景品交換を継続する場合、交換する口座を選択する（ステップＳ８）。
【００４５】
景品交換する口座が選択された場合、景品交換ＰＯＳ１１は、記録媒体の認証を行わずに景品交換を行う。景品交換ＰＯＳ１１は、記録媒体に紐づく全ての口座の残高が無くなる、または景品交換終了の操作が行われた場合、記録媒体の返却を行い（ステップＳ９）記録媒体の読み取り待ちとなる。読み取り待ち状態に移行した場合は、再度記録媒体の読み取り及び認証が必要となる。
記録媒体が返却されると（ステップＳ９）、景品交換は終了する。
【００４６】
（第６実施例）
図１にシステム概略図、図７にフロー図を図示される第６実施例について説明する。
第６実施例では、従業員が景品交換中に継続して景品交換を行うか選択する。
景品交換ＰＯＳ１１で記録媒体を読み取った後（ステップＳ１）、遊技客にて記録媒体の暗証番号の入力を行い、該入力された暗証番号に基づく認証を行う（ステップＳ２）。記録媒体に対する認証は、読取後１回のみである。景品交換ＰＯＳ１１で読み取った記録媒体に紐づく複数の口座に有価価値の残高があった場合、『交換口座選択画面』を遊技客側に表示する。
【００４７】
遊技客は、『交換口座選択画面』から交換口座を１つ選択する（ステップＳ３）。景品交換ＰＯＳ１１は、選択された口座より景品交換を実施する（ステップＳ４、Ｓ５）。連続して、複数の口座の景品交換を行う場合、記録媒体の認証を省略して景品交換を可能とする（ステップＳ４）。
遊技客は、景品交換を継続する場合、ステップＳ１〜ステップＳ８の間において従業員へ景品交換継続の旨を口頭にて指示し、従業員は、景品交換継続の指示に基づき連続交換許可操作を行う。景品交換ＰＯＳ１１はいずれかの口座に有価価値の残高があり、且つ連続交換許可操作が行われた場合、再度交換口座選択画面を表示し、遊技客は現在の景品交換終了時に次に交換する口座を選択する（ステップＳ６、Ｓ７、Ｓ８）。景品交換する口座が選択された場合、景品交換ＰＯＳ１１は、記録媒体の認証を行わずに景品交換を行う（ステップＳ８）。
連続交換許可操作が実施された場合のみ『交換口座選択画面』へ遷移する（ステップＳ７）。
【００４８】
景品交換ＰＯＳ１１は、記録媒体に紐づく全ての口座の残高が無くなる、または従業員による連続交換許可操作が行われない、もしくは景品交換終了の操作が行われた場合、記録媒体の返却を行い（ステップＳ９）次の記録媒体の読み取り待ちとなる。読み取り待ち状態に移行した場合は、再度記録媒体の読み取り及び認証が必要となる。
記録媒体が返却されると（ステップＳ９）、景品交換は終了する。
【００４９】
（第７実施例）
図１にシステム概略図、図８にフロー図を図示される第７実施例について説明する。
第７実施例では、従業員あるいは遊技者の指示に従うのではなく、あらかじめされた設定に応じた全ての口座順に引落す。
景品交換ＰＯＳ１１で記録媒体を読み取った後（ステップＳ１）、遊技客にて記録媒体の暗証番号の入力を行い、該入力された暗証番号に基づく認証を行う（ステップＳ２）。
【００５０】
記録媒体に対する認証は、読取後１回のみである。景品交換ＰＯＳ１１で読み取った記録媒体に紐づく複数の口座に有価価値の残高があった場合、予め景品交換ＰＯＳ１１にて遊技客毎に連続交換が設定されている口座毎にＰＯＳが自動選択し、景品交換を実施する（ステップＳ３、Ｓ４、Ｓ５）。
連続して複数の口座の景品交換を行う場合、記録媒体の認証を省略して景品交換を可能とする（ステップＳ４）。
【００５１】
交換終了後、記録媒体に紐づくいずれかの口座に残高があるかつ、該残高がある口座が設定で選択されている口座であった場合、次の口座での景品交換を継続して行う（ステップＳ６）。景品交換する口座が選択された場合、景品交換ＰＯＳ１１は、記録媒体の認証を行わずに景品交換を行う（ステップＳ７）。
景品交換ＰＯＳ１１は、記録媒体の該当する全ての口座の残高が無くなる、または景品交換終了の操作が行われた場合、記録媒体の返却を行い（ステップＳ８）記録媒体の読み取り待ちとなる。読み取り待ち状態に移行した場合は、再度記録媒体の読み取り及び認証が必要となる。
なお、設定については景品交換ＰＯＳ１１や景品管理装置１３での変更または接続された機器より送信が可能とする。
記録媒体が返却されると（ステップＳ８）、景品交換は終了する。
【００５２】
（第８実施例）
図１にシステム概略図、図９にフロー図を図示される第８実施例について説明する。
第８実施例では、有価価値の残高が多い（少ない）口座順に引落す。
景品交換ＰＯＳ１１で記録媒体を読み取った後（ステップＳ１）、遊技客にて記録媒体の暗証番号の入力を行い、該入力された暗証番号に基づく認証を行う（ステップＳ２）。記録媒体に対する認証は、読取後１回のみである。景品交換ＰＯＳ１１で読み取った記録媒体に紐づく複数の口座に残高があった場合、景品交換ＰＯＳ１１にて有価価値の残高が多いあるいは、少ない口座毎にＰＯＳが自動選択し、景品交換を実施する（ステップＳ３、Ｓ４、Ｓ５）。
連続して複数の口座の景品交換を行う場合、記録媒体の認証を省略して景品交換を可能とする（ステップＳ４）。
【００５３】
交換終了後、記録媒体のいずれかの口座に残高があった場合、次の口座での景品交換を継続して行う（ステップＳ６）。景品交換する口座が選択された場合、景品交換ＰＯＳ１１は、記録媒体の認証を行わずに景品交換を行う（ステップＳ７）。
景品交換ＰＯＳ１１は、記録媒体の該当する全ての口座の残高が無くなる、または景品交換終了の操作が行われた場合、記録媒体の返却を行い（ステップＳ８）記録媒体の読み取り待ちとなる。読み取り待ち状態に移行した場合は、再度記録媒体の読み取り及び認証が必要となる。
記録媒体が返却されると（ステップＳ８）、景品交換は終了する。
【００５４】
（第９実施例）
図１にシステム概略図、図１０にフロー図を図示される第９実施例について説明する。
第９実施例は、景品払出機１８より複数口座の景品を纏めて払出しを行う。景品交換ＰＯＳ１１からの景品払出信号を各口座の景品交換において選択した景品を纏めて送信し、景品払出機１８で複数口座の景品を払出す。
景品交換ＰＯＳ１１で記録媒体を読み取った後（ステップＳ１）、遊技客にて記録媒体の暗証番号の入力を行い、該入力された暗証番号に基づく認証を行う（ステップＳ２）。記録媒体に対する認証は、読取後１回のみである。
【００５５】
景品交換ＰＯＳ１１で読み取った記録媒体に紐づく複数の口座に残高があった場合、景品交換ＰＯＳ１１にて有価価値の残高が多いあるいは、少ない口座毎に景品交換を実施する（ステップＳ３、Ｓ４、Ｓ５）。
景品交換ＰＯＳ１１で読み取った記録媒体に複数の口座に有価価値の残高があった場合、複数の口座の景品交換を連続して実施する（ステップＳ６）。
【００５６】
景品交換ＰＯＳ１１は、記録媒体の全ての口座の残高が無くなる、または従業員による景品交換終了の操作が行われた場合、景品交換ＰＯＳ１１から景品払出機１８に対して各口座の景品交換時に選択した景品を纏めて払出す要求を行い、要求を受け取った景品払出機１８は各口座の景品を纏めて払出す（ステップＳ７、Ｓ８、Ｓ９）。
連続して複数の口座の景品交換を行った場合、景品払出機１８に対して、複数口座の景品を払い出すように要求を行う（ステップＳ７）。
景品払出機１８から払い出された景品の結果を印字する（ステップＳ９）。
記録媒体が返却されると（ステップＳ１０）、景品交換は終了する。
なお、本実施例においては、景品払出機１８より景品を払出した後、記録媒体を返却しているが、例えば、記録媒体を返却した後、景品払出機１８より景品を払い出す様に構成してもよい。
【００５７】
第１実施例から第９実施例においては、景品交換ＰＯＳ１１と景品管理装置１３を区別して記載したが、景品交換ＰＯＳ１１と景品管理装置１３を１の装置として構成してもよいし、機能の一部を他方の装置で備えてもよい。
【符号の説明】
【００５８】
１１  ＰＯＳ（連続景品交換選択手段）
１３  景品管理装置
【要約】
【課題】
複数の口座の景品交換を行う際に、１度の認証にて記録媒体の確認を行い、次の口座については認証を行わずに景品交換を行えるようにする。
【解決手段】
遊技客によって獲得された遊技媒体の数量及び複数の口座が関連付けられた交換用記録媒体に基づいて、遊技媒体と所望の景品との交換制御を行う景品交換ＰＯＳ１１において、
複数の口座を連続して景品交換を実施するか選択できる機能を設けられ、遊技客が景品取引中に別の口座の交換を予約する際に本機能を有効にすることで、景品交換終了時に別の口座での景品交換を連続して実施する、
景品交換装置。
【選択図】図１【図１】
0005814452.tif 000002
【図２】
0005814452.tif 000003
【図３】
0005814452.tif 000004
【図４】
0005814452.tif 000005
【図５】
0005814452.tif 000006
【図６】
0005814452.tif 000007
【図７】
0005814452.tif 000008
【図８】
0005814452.tif 000009
【図９】
0005814452.tif 000010
【図１０】
0005814452.tif 000011